(57)【要約】【課題】使用者の行動すなわち生活パターンに基づいて、携帯電話端末等の携帯端末に適切なアラーム設定を行うようにする。【解決手段】非接触型ＩＣカード端末１２とデータ通信を行う非接触型ＩＣカード機能部１３と、複数の生活パターン情報、複数のアラーム予定情報及びそれらの対応関係が示された対応テーブルを記憶する記憶部１５と、制御部１４を備える。この制御部１４は、非接触型ＩＣカード機能部１３から得られる情報に基づいて当該使用者の生活パターンの種類を判定し、判定した生活パターンの種類に対応するアラーム予定情報を対応テーブルから抽出し、抽出したアラーム予定情報に従いアラームを報知するように構成する。【選択図】図３
2009260501.tif 000002
【特許請求の範囲】
【請求項１】
非接触型ＩＣカード端末とデータ通信を行う非接触型ＩＣカード機能部と、
複数の生活パターン情報、複数のアラーム予定情報、及びそれらの対応関係が示された対応テーブルを記憶する記憶部と、
前記非接触型ＩＣカード機能部から得られる情報に基づいて当該使用者の生活パターンの種類を判定し、該判定した生活パターンの種類に対応するアラーム予定情報を前記対応テーブルから抽出し、該抽出したアラーム予定情報に従いアラームを報知する制御部と、
を含む携帯端末。
【請求項２】
前記制御部は、
前記非接触型ＩＣカード機能部から供給される情報（以下、「イベント情報」という。）を検知するイベント検知部と、
前記イベント検知部で検知されたイベント情報が前記使用者の移動に関する情報か否かを判定する移動判定部と、
前記移動判定部により前記イベント情報が前記使用者の移動に関する情報であると判定された場合、少なくとも前記イベント情報に基づいて前記使用者の生活パターンの種類を判定する生活パターン判定部と、
前記生活パターン判定部で判定された生活パターンの種類に対応するアラーム予定情報を前記対応テーブルから抽出し、該抽出したアラーム予定情報に従いアラームの予定を更新するアラーム予定更新部と、
前記アラーム予定更新部により更新されたアラームの予定に従いアラームを報知するアラーム報知部と、
を含む請求項１に記載の携帯端末。
【請求項３】
前記生活パターン判定部は、前記生活パターンの開始イベント情報と前記イベント検知部で検知された最新のイベント情報に基づいて、前記生活パターンの判定を行う
請求項２に記載の携帯端末。
【請求項４】
前記生活パターン判定部は、前記生活パターンの開始イベント情報と前記イベント検知部で検知された最新のイベント情報に加え、少なくとも当該最新のイベント情報の一つ前のイベント情報を含む過去のイベント情報に基づいて、前記生活パターンの判定を行う
請求項３に記載の携帯端末。
【請求項５】
ユーザの操作に応じた操作信号を生成する入力部を備え、
前記制御部はさらに、
前記入力部から供給される操作信号に従い、生活パターンを設定する生活パターン設定部と、
前記入力部から供給される操作信号に従い、アラームを設定するアラーム設定部と、
前記入力部から供給される操作信号に従い、前記生活パターン設定部により設定された生活パターンと前記アラーム設定部により設定されたアラームを対応づける対応設定部と、
を含む請求項４に記載の携帯端末。
【請求項６】
前記非接触型ＩＣカード機能部が前記非接触型ＩＣカード端末から取得する情報は、交通機関の入退情報である
請求項５に記載の携帯端末。
【請求項７】
非接触型ＩＣカード機能部が非接触型ＩＣカード端末とデータ通信を行うステップと、
非接触型ＩＣカード機能部から得られる情報に基づいて当該使用者の生活パターンの種類を判定ステップと、
複数の生活パターン情報、複数のアラーム予定情報及びそれらの対応関係が示された対応テーブルから、前記判定された生活パターンの種類に対応するアラーム予定情報を抽出するステップと、
抽出したアラーム予定情報に従いアラームを報知するステップと、
を含むアラーム設定更新方法。
【発明の詳細な説明】
【技術分野】
【０００１】
本発明は、携帯端末及びアラーム設定更新方法に関し、特に非接触型ＩＣ（Integrated Circuit）カード機能部が搭載された携帯電話端末等に適用して好適な携帯端末及びその非接触型ＩＣカード機能により得られる情報に基づいてアラーム設定を更新する方法に関する。
【背景技術】
【０００２】
現在、Felica（登録商標）などの非接触型ＩＣカード機能を搭載した携帯電話端末が普及している。例えば、携帯電話端末に搭載された非接触型ＩＣカード機能を利用して、電車やバスの昇降時の精算、店舗での代金の支払いを行うことができる。あるいは非接触型ＩＣカード機能部に登録されたＳＩＭ（Subscriber Identity Module）カードの情報を、身分証明書の代わりとして利用することができる。また、非接触型ＩＣカード機能付きの携帯電話端末は、非接触型ＩＣカード機能により交通機関に設置された非接触型ＩＣカード端末を利用した履歴が記録されるので、この利用履歴を調べることにより使用者の移動情報がわかる。
【０００３】
さらに、携帯電話端末にはアラーム機能が搭載されており、アラーム機能を目覚まし時計の代わりとして、あるいは目覚まし時計としての利用以外にも、会社での会議や他の行事のお知らせ等に利用できる。しかし、出張、旅行、その他の理由で、アラーム設定の必要がない、もしくは、アラーム設定を停止しなければならないような状況がある。この場合、手動でアラーム設定を停止したり、数日後に再度ユーザが設定したりしなければならないが、毎回この作業を行うのは不便なことである。さらには、出張の後など使用者がひどく疲れている場合、携帯電話端末の規定のアラームを設定するのを忘れてしまうこともある。
【０００４】
ところで、非接触型ＩＣカード機能と携帯電話端末が従来から備えているアラーム機能を組み合わせて、行き先駅への経路検索結果に基づいて自動的にアラーム時刻が設定されるＩＣチップ内蔵携帯端末が提案されている（例えば、特許文献１参照。）。
このＩＣチップ内蔵携帯端末によれば、自分で行き先駅への到着時刻を予測し、携帯端末のアラーム時刻を手動で設定しなくても、正確な時刻をアラーム時刻として設定することができるので、乗り過ごしを防止することができる。
【特許文献１】特開２００６−２６２２９７号公報
【発明の開示】
【発明が解決しようとする課題】
【０００５】
しかしながら、特許文献１に記載されたものは、予め行き先駅情報等を含む自動改札用データがＩＣチップに登録されている必要があり、自動改札用データが登録されていない場合にはこのシステムを利用することができなかった。また、このシステムを利用できた場合でも、その利用は交通機関をまさに利用している期間に限られ用途が非常に限定的であった。つまり、特許文献１に記載されたものは、日常の中でアラームの設定が必要なときとアラームの設定が必要ないときのアラーム設定のオン／オフの切り替え等、適切なアラームの設定を行うことができなかった。
【０００６】
本発明は、このような状況に鑑みてなされたものであり、使用者の行動すなわち生活パターンに基づいて、携帯電話端末等の携帯端末が適切なアラーム設定を行うことができるようにするものである。
【課題を解決するための手段】
【０００７】
本発明の一側面の携帯端末は、非接触型ＩＣカード端末１２とデータ通信を行う非接触型ＩＣカード機能部１３と、複数の生活パターン情報、複数のアラーム予定情報、及びそれらの対応関係が示された対応テーブルを記憶する記憶部１５と、制御部１４を備える。制御部１４は、非接触型ＩＣカード機能部１３から得られる情報に基づいて当該使用者の生活パターンの種類を判定し、判定した生活パターンの種類に対応するアラーム予定情報を対応テーブルから抽出し、抽出したアラーム予定情報に従いアラームを報知するようにする。
【０００８】
本発明の一側面のアラーム設定更新方法は、非接触型ＩＣカード機能部が非接触型ＩＣカード端末とデータ通信を行うステップと、非接触型ＩＣカード機能部から得られる情報に基づいて当該使用者の生活パターンの種類を判定ステップを含む。さらに、複数の生活パターン情報、複数のアラーム予定情報及びそれらの対応関係が示された対応テーブルから、判定された生活パターンの種類に対応するアラーム予定情報を抽出するステップと、抽出したアラーム予定情報に従いアラームを報知するステップとを含む。
【０００９】
本発明の一側面においては、使用者が意識することなく当該使用者の日常の行動（履歴）から生活パターンを判定できる。
【発明の効果】
【００１０】
以上のとおり、本発明によれば、使用者の行動すなわち生活パターンに基づいて、携帯電話端末等の携帯端末が適切なアラーム設定を行うことができる。
【発明を実施するための最良の形態】
【００１１】
以下、本発明の実施の形態の例について、添付図面を参照しながら説明する。
【００１２】
以下に述べる実施の形態は、本発明を実施するための好適な形態の具体例であるから、技術的に好ましい種々の限定が付されている。ただし、本発明は、以下の実施の形態の説明において特に本発明を限定する旨の記載がない限り、これらの実施の形態に限られるものではない。したがって、例えば、以下の説明で挙げる使用材料とその使用量、処理時間、処理順序および各パラメータの数値的条件等は好適例に過ぎず、また、説明に用いた各図における寸法、形状および配置関係等も実施の形態の一例を示す概略的なものである。
【００１３】
本発明は、携帯電話端末に搭載された非接触型ＩＣカード機能部より得られる情報から使用者の行動（生活パターン）を判定し、判定した生活パターンに基づいて使用者の生活パターンに適したアラーム設定を行うようにするものである。なお、本実施の形態においては、主に鉄道やバスなどの交通機関に設置された非接触型ＩＣカード端末を利用した場合を想定しているが、公共施設や店舗等に設置された非接触型ＩＣカード端末を利用して使用者（携帯電話端末）の入退情報を得るようにしてもよい。
【００１４】
まず使用者の生活パターンについて、図１，図２を参照して説明する。図１は、本発明の一実施の形態に係る交通機関とユーザの利用施設の例を示す図である。また、図２は、図１に示した交通機関を利用した使用者の生活パターンの一例を示す図である。
【００１５】
図１には、交通機関として、Ｅ駅、Ｄ駅、Ａ駅、Ｂ駅及びＣ駅と繋がる路線と、Ｂ駅を始発駅としてＦ駅を終着駅とする路線を持つ鉄道路線１と、Ｂ駅から出発して停留場Ｘを経由してＣ駅に到着するバス路線２が記載されている。使用者の自宅はＡ駅の最寄りにあり、空港はＦ駅に隣接し、そして、学校はＥ駅の駅前にある。
【００１６】
一般的に、人々は１週間の中でいくつかの規則的な生活パターンを持っている。例えば、月曜日から金曜日まで毎朝決まった時間の電車に乗って会社まで通勤する生活パターン、例えば英会話学校等の学校に通学する生活パターン、出かけず自宅でゆっくりすごす生活パターン、突然の出張や旅行などで飛行機に乗る生活パターンなどがある。
【００１７】
本実施の形態では、自宅の最寄りにあるＡ駅から乗車しＢ駅を経由してＣ駅で降車し会社に出勤する場合、この一連の行動を「生活パターンＰＢ１」とする。また、自宅の最寄りにあるＡ駅から乗車しＢ駅を経由してＦ駅で降車し空港を利用する場合、この一連の行動を「生活パターンＰＢ１」とする。また、自宅にこもり外に出かけない行動を「生活パターンＰＨ」とする。また、自宅の最寄りにあるＡ駅から乗車しＢ駅を経由してＣ駅で降車して会社に出勤する場合、この一連の行動を「生活パターンＰＢ２」とする。そして、自宅の最寄りにあるＡ駅から乗車しＢ駅からバスに乗り換え、停留所Ｘを経由してＣ駅で降車し会社に出勤する場合、この一連の行動を「生活パターンＰＸ」とする。
【００１８】
図３は、本発明に係る非接触型ＩＣカード機能付き携帯電話端末の内部構成例を示すブロック図である。
図１において携帯電話端末１０は、通信部１１と、非接触型ＩＣカード機能部１３と、制御部１４と、生活パターン・アラーム予定表記憶部（以下、単に「記憶部」という。）１５と、不揮発性メモリ１６と、入力部１７と、表示部１８と、スピーカ１９と、Ｉ／Ｆ２４とを含むようにして構成される。
【００１９】
通信部１１は、ＲＦ回路及び変復調器等からなり、図示しない基地局を経由して携帯電話通信網との無線通信を行うためのアンテナを通じて、携帯電話通信網と制御部１４との間のデータ通信を行うものである。
【００２０】
非接触型ＩＣカード機能部１３は、交通機関や店舗などに設置された非接触型ＩＣカード端末１２（いわゆるリーダ・ライタ）と非接触で通信を行い電子決済や個人認証などを行うものである。この非接触型ＩＣカード機能部１３は、機器内蔵型の構造でもよいし、着脱可能なカード型の構造であってもよい。
【００２１】
なお、本実施の形態では、非接触型のＩＣカード機能部の例を挙げたが、接触型の機能を併せ持ついわゆるハイブリッド型、コンビネーション型のものも含まれ得る。また、いわゆる「無線タグ」、「ＲＦＩＤ（Radio Frequency Identification）」、「電子荷札」と呼ばれるものも適用でき、ＩＣカード機能部は上述例に限定されない。一般的に、非接触型ＩＣカード機能部１３は、アンテナを介して情報を送受信する送受信制御部、読み書き制御部、メモリ及び電源部等が半導体集積回路化されて、チップ上に形成されている。メモリはフラッシュメモリ等により構成され、一定の書込手順に従って書き込まれた情報を、電源の供給を停止しても保持する不揮発性を有する。書き込まれる情報として、例えば、交通機関の利用履歴の他、個人又はビジネス上の識別情報（ＩＤ）、銀行口座番号、決済情報、医療情報、クレジットアカウントデータ、及び許可コードなど、種々の情報がある。
【００２２】
制御部１４は、携帯電話端末１０の各処理デバイスを制御するとともに、使用者の生活パターンから適切なアラーム設定を行うものである。つまり制御部１４は、入力部１７から入力される操作信号（指令）に対応して各種の処理を実行する。また非接触型ＩＣカード機能部１３から得られる情報に基づいて当該使用者の生活パターンの種類を判定し、該判定した生活パターンの種類に対応するアラーム予定情報を後述する対応テーブルから抽出する。そして、抽出したアラーム予定情報に従いアラームを設定及び報知するものである。この制御部１４は、例えばＭＰＵ（Micro Processing Unit）等のプロセッサから構成され、不揮発性メモリ１６又は記録媒体２５に記録されたアプリケーションを図示しないメインメモリに読み込んで実行することができる。この制御部１４の機能については、後の詳細に説明する。
【００２３】
生活パターン・アラーム情報記憶部１５は、制御部１４が判定した使用者の生活パターン情報、アラーム予定表、及び、それらの対応関係を示した対応テーブル等の情報が格納されたデータベース（以下、「ＤＢ」という。）である。ＤＢ１５はハードディスク等の不揮発性の記憶手段に構築される。例えば不揮発性メモリ１６に記録しておくようにしてもよい。
【００２４】
ここで生活パターン情報について説明する。
図４は、ある使用者が仕事をするときの生活パターンＰＢ１（図１参照）の例を示す図である。生活パターン情報は、例えば「時刻」、「場所」及び「入退」のフィールドを持つ。「時刻」について、使用者が毎日規定の時間に規定の行動をとれるとは限らないため、柔軟に対応できるよう時間に幅を持たせてある。「場所」は、非接触型ＩＣカード端末１２を利用した場所を示しており、仮に施設情報を登録すればその利用状況（イベント内容）を推測することもできる。「入退」は、その場所への入場又は退場の記録である。なお、本実施の形態では、会社への入退のレコードがあるが、これは会社の社員用通用口に入退チェック用の非接触型ＩＣカード端末が設けられている場合を想定している。会社で非接触型ＩＣカード端末を利用した入退チェックシステムを運用していない場合、最寄り駅（本例ではＡ駅）の入退履歴と時刻に基づいて出勤及び退社を判定する。
【００２５】
本実施の形態による生活パターンＰＢ１（仕事）においては、「０７：３０〜０９：３０、Ａ駅、イン（入場）」、「０８：２０〜１０：２０、Ｃ駅、アウト（退場）」、「０８：３０〜１０：３０、会社、イン（出社）」という一連の行動を表すレコードが登録されている。これらの登録情報は、使用者が後述する生活パターン入力画面（図１１，図１２参照）から入力する。あるいは、携帯電話端末が、非接触型ＩＣカード機能部１３の利用履歴から自動的に生活パターンを作成するようにしてもよい。この場合、使用者の実際の行動を反映した生活パターン情報を生成できる。
【００２６】
図５は、ある使用者が学校へ通うときの生活パターンＰＳ（図１参照）の例を示す図である。図５に示す生活パターンＰＳ（学校）においては、「０９：００〜１０：００、Ａ駅、イン（入場）」、「１０：００〜１１：００、Ｆ駅、アウト（退場）」、「１０：３０〜１１：３０、学校、イン（出席）」という一連の行動を表すレコードが登録されている。
【００２７】
図６は、図４及び図５に示したような生活パターンをまとめた生活パターンテーブルの例である。本実施の形態では、生活パターンとしてＰＢ１（仕事），ＰＢ２（出張），ＰＨ（在宅），ＰＳ（学校）が登録されている例としてある。
【００２８】
次に、アラーム予定表について説明する。
図７は、ある使用者の仕事モードにおけるアラーム予定表Ａ１の例を示した図であり、この仕事モードは生活パターンＰＢ１（仕事）に対応している。アラーム予定表Ａ１（仕事モード）は、例えば「時刻」、「イベント」及び「音楽」のフィールドを持つ。「時刻」は、スピーカ等からアラームを出力する時刻を示している。「イベント」はアラームを出力するときの使用者の行動内容を示している。また「音楽」はアラーム音として使用する音楽（楽曲）及びその時刻でのアラームのオン／オフ（有効／無効）の設定を示している。
【００２９】
本実施の形態によるアラーム予定表Ａ１においては、「０９：００、会議Ａ、音楽Ａ」、「１２：３０、昼食、オフ」、「１５：００、休憩、オフ」、「１６：００、会議Ｂ、音楽Ｂ」、「１９：００、夕食、オフ」という一群のアラーム設定が登録されている。これらの登録情報は、使用者が後述するアラーム入力画面（図１３参照）から入力する。
【００３０】
図８は、ある使用者の在宅モードにおけるアラーム予定表Ａ３の例を示した図であり、この在宅モードは生活パターンＰＨ（在宅）に対応している。図８に示すアラーム予定表ＰＨ（在宅）においては、「０９：００、読書、音楽Ｃ」、「１３：００、昼食、オフ」、「１６：００、スポーツ、オフ」、「１８：００、デート、音楽Ｄ」、「２０：００、夕食、オフ」という一群のアラーム設定が登録されている。
【００３１】
図９は、生活パターンとアラーム予定表の対応関係を記述した対応テーブル（１）である。図１０において、生活パターンＰＢ１（仕事）とアラーム予定表Ａ１（仕事モード）、生活パターンＰＢ２（出張）とアラーム予定表Ａ２（出張モード）、生活パターンＰＨ（在宅）とアラーム予定表Ａ３（在宅モード）、生活パターンＰＳ（学校）とアラーム予定表Ａ４（学校）が対応している。
【００３２】
図１０は、生活パターンとアラーム予定表の対応関係を記述した対応テーブル（２）である。本例は、同一生活パターンでも条件の違いに応じて対応するアラーム予定表を変更するようにしたものである。図１０においては曜日によってアラーム予定表を変更しており、例えば生活パターンＰＢ１（仕事）について、月曜日にはアラーム予定表Ａ１、火曜日〜金曜日にはアラーム予定表Ａ１′が設定してある。
【００３３】
図３のＩＣカード機能付き携帯電話端末１０の説明に戻る。不揮発性メモリ１６は、制御部１４が実行した制御及び演算の結果を保存するものであり、ハードディスク等や半導体メモリ等が適用される不揮発性の記憶手段である。本実施の形態では、携帯電話端末１０が非接触型ＩＣカード機能部１３を用いて非接触型ＩＣカード端末１２を利用した利用履歴情報が制御部１４により保存される。
【００３４】
入力部１７は、キーボード、マウス、マイクロホンなどから構成され、ユーザの入力操作に応じた操作信号を生成し制御部１４に入力する。
【００３５】
表示部１８は、制御部１４が生成した表示画像を出力するものであり、例えば液晶ディスプレイや有機ＥＬディスプレイ等から構成される。この表示部１８には、各種の入力画面及びアラーム内容等が表示される。
【００３６】
スピーカ１９は、制御部１４が生成したデジタル音声信号をデジタル／アナログ変換したアナログ音声信号を出力するものである。この実施の形態においては、アラーム設定に従って制御部１４から供給されるアラーム信号に基づく音声を出力する。
【００３７】
Ｉ／Ｆ２４は、記録媒体２５と制御部１４のインタフェースとして機能するものである。
【００３８】
ここで、制御部１４について詳細に説明する。
制御部１４は、時計部２０、生活パターン設定部２１Ａ、アラーム設定部２１Ｂ及び対応設定部２１Ｃの各機能部を備えている。イベント検知部２２Ａ、移動判定部２２Ｂ、情報読み込み部２２Ｃ、生活パターン判定部２２Ｄ、アラーム予定更新部２２Ｅ、並びにアラーム報知部２３の各処理部を備える。
【００３９】
時計部２０は、各処理部に対し、アラーム設定やアラーム動作に必要な時刻情報を供給するものである。この時計部２０は、例えば制御部１４がＭＰＵから構成される場合にその内部クロック機能を利用してもよい。
【００４０】
生活パターン設定部２１Ａは、入力部１７から供給されるユーザ操作に基づく操作信号に従い生活パターン情報を設定するものである。
【００４１】
図１１は、表示部１８に表示される生活パターン入力画面例（１）を示す図である。本実施の形態では、生活パターン情報を設定するための項目として、例えば生活パターン名３１、開始イベント３２ａ、第２イベント３２ｂ、最終イベント３２ｃが用意してある。開始イベントを設定する際は、イベントの名称と当該イベントの対象時刻を入力する。入力内容に間違いなければ、入力部１７を操作してアイコン表示されたＯＫボタン３４をクリックして設定内容を確定させる。制御部１４は確定した生活パターン情報を、記憶部１５に記憶する。一方、イベントを追加したい場合、イベント追加ボタン３３をクリックすることにより、イベント設定欄が追加された生活パターン入力画面が表示部１８に表示される。
【００４２】
図１２は、イベント設定欄が追加された生活パターン入力画面例（２）である。この例では、第２イベント３２ｂ１に加え、中間イベントとして第３イベント３２ｂ２を追加表示している。
【００４３】
アラーム設定部２１Ｂは、入力部１７から供給されるユーザ操作に基づく操作信号に従い、アラーム時刻やアラーム方法等を設定するものである。
【００４４】
（説明に問題ないかご確認ください）
図１３は、表示部１８に表示されるアラーム入力画面例を示す図である。本実施の形態では、アラームを設定するための項目として、例えばイベント名３１、曜日４２、時刻４３、アラーム音（楽曲）４４、アラーム音量４５、アラーム画像４６、バイブレータ４７、スヌーズ４８が用意してある。ユーザは、まず図示しないモード選択画面を表示させて設定したいモード、例えば仕事モードを選択する。そして、選択した仕事モードのときに使用する少なくとも１対以上のアラームについて設定作業を行う。入力を途中で中止するときは、入力部１７を操作してアイコン表示された中止ボタン４９をクリックする。選択ボタン５０は、複数あるアラーム情報の中からどのアラーム情報（本例ではアラーム１）の設定を行うか選択するためのボタンである。アラーム情報の設定作業を完了させるときは、完了ボタン５１をクリックして完了する。制御部１４は設定が完了したアラーム情報を記憶部１５に記憶する。
【００４５】
対応設定部２１Ｃは、入力部１７から供給されるユーザ操作に基づく操作信号に従い、生活パターン設定部２１Ａによって設定された生活パターンとアラーム設定部２１Ｂにより設定されたアラームを対応づけた対応テーブル（図９，図１０参照）を作成するものである。そして、作成した対応テーブルを記憶部１５に記憶させる。
【００４６】
イベント検知部２２Ａは、非接触型ＩＣカード機能部１３から供給される情報（以下、「イベント情報」という。）を検知し、検知したイベント情報を例えば不揮発性メモリ１６に記録するものである。
【００４７】
移動判定部２２Ｂは、イベント検知部２２Ａで検知されたイベント情報が使用者の移動に関する情報か否かを判定するものである。
【００４８】
情報読み込み部２２Ｃは、移動判定部２２Ｂにおいてイベント情報が使用者の移動に関する情報であると判定された場合、必要に応じて不揮発性メモリ１６から前回発生したイベント情報を読み込むものである。
【００４９】
生活パターン判定部２２Ｄは、移動判定部２２Ｂにおいてイベント情報が使用者の移動に関する情報であると判定された場合、少なくとも当該イベント情報に基づいて使用者の現在の生活パターンの種類を判定するものである。なお、この生活パターン判定部２２Ｄに上記情報読み込み部２２Ｃの機能を包含してもよい。
【００５０】
アラーム予定更新部２２Ｅは、生活パターン判定部２２Ｄで判定された生活パターンの種類に対応するアラーム予定情報を記憶部１５内の対応テーブルから抽出し、その抽出したアラーム予定情報に基づいてアラームの予定を更新するものである。つまり、使用者の現在の生活パターンに適したアラームへ随時更新される。
【００５１】
アラーム報知部２３は、アラーム予定更新部２２Ｅにより更新されたアラームの予定に従ってアラームを報知するものである。例えば、アラーム音（音声信号）をスピーカ１９に供給したり、表示部１にアラームを表した画面を表示させるようにしてもよい。
【００５２】
次に、図１４を参照して、制御部１４によるアラーム予定変更（更新）処理について説明する。
まずステップＳ１において、携帯電話端末１０を初期化する。この処理が終了後、ステップＳ２の処理に進む。
【００５３】
ステップＳ２において、イベント検知部２２Ａが、非接触型ＩＣカード機能部１３から供給されるイベント情報を検知し、検知したイベント情報を例えば不揮発性メモリ１６に記録する。
【００５４】
ステップＳ３において、移動判定部２２Ｂは、イベント検知部２２Ａで検知されたイベント情報が使用者の移動に関する情報か否かを判定する。検出したイベント情報が移動に関する情報でない場合、ステップＳ２の処理に戻りイベント検出処理を続行する。一方、移動に関する情報である場合、ステップＳ４の処理に進む。
【００５５】
ステップＳ４において、生活パターン判定部２２Ｄは、検出されたイベント情報を含む各情報に基づいて生活パターン判定処理を行う。このとき、情報読み込み部２２Ｃは、必要に応じて不揮発性メモリ１６から前回発生したイベント情報を読み込む。この処理が終了後、ステップ５の処理に進む。なお、ステップＳ４における生活パターン判定処理については後述する。
【００５６】
ステップＳ５において、生活パターン判定部２２Ｄによる判定の結果、生活パターンに変更があったかどうかを判定する。使用者の生活パターンに変更なしと判定された場合、ステップＳ２の処理に戻りイベント検出処理を続行する。一方、使用者の生活パターンに変更ありと判定された場合、ステップＳ６の処理に進む。
【００５７】
ステップＳ６において、アラーム予定更新部２２Ｅは、ステップＳ４の処理で判定された生活パターンの種類に対応するアラーム予定情報を記憶部１５内の対応テーブルから抽出し、その抽出したアラーム予定情報に基づいてアラームの予定を変更（更新）する。変更後はステップＳ２に戻り、再びイベント検出処理を続行する。
【００５８】
そして、アラーム報知部２３は、ステップＳ６の処理で更新されたアラームの予定に従ってアラームを報知する。例えば、アラーム音（音声信号）をスピーカ１９に供給したり、表示部１にアラームを表した画面を表示させたりする。
【００５９】
ここで、ステップＳ４における生活パターン判定処理について、図１５のフローチャートを参照して詳細に説明する。
【００６０】
まずステップＳ１１において、生活パターン判定部２２Ｄは、今回検出したイベントｉ（ｉは自然数）及び開始イベントｉｓをインデックス（キー）にして、記憶部１５に格納されている生活パターンテーブルと比較する。この処理が終了後、ステップＳ１２の処理に進む。
【００６１】
ステップＳ１２において、生活パターン判定部２２Ｄは、今回検出したイベントｉ及び開始イベントｉｓに該当するイベントがあるか否かを判定する。該当するイベントがない場合、ステップＳ１３の処理に進む。一方、該当するイベントがある場合、ステップＳ１４の処理に進む。
【００６２】
ステップＳ１３において、生活パターン判定部２２Ｄは、今回検出したイベントｉ及び開始イベントｉｓに該当するイベントがなかったので、使用者の現在の生活パターンは“変速生活パターン”であると決定する。このステップＳ１３の処理が終了後、生活パターン判定処理を終了する。
【００６３】
ステップＳ１４において、生活パターン判定部２２Ｄは、ステップＳ１２の処理で該当するとされたイベント数が１つか否かを判定する。該当するイベントが１つである場合、ステップＳ１５の処理に進む。一方、該当するイベントが１つより多い場合、ステップＳ１６の処理に進む。
【００６４】
ステップＳ１５において、生活パターン判定部２２Ｄは、該当するイベントを含んだ生活パターンを、使用者の現在の生活パターンであると決定する。このステップＳ１５の処理が終了後、生活パターン判定処理を終了する。
【００６５】
ステップＳ１６において、生活パターン判定部２２Ｄは、イベントｉ←ｉ−１とする。この処理が終了後、ステップＳ１７の処理に進む。
【００６６】
ステップＳ１７において、情報読み込み部２２Ｃは、イベントｉ−１すなわち前回のイベント情報を不揮発性メモリ１６から読み込む。この処理が終了後、ステップＳ１８の処理に進む。
【００６７】
ステップＳ１８において、生活パターン判定部２２Ｄは、今回検出したイベントｉ、前回のイベント（ｉ−１）、及び開始イベントｉｓをインデックス（キー）にして、記憶部１５に格納されている生活パターンテーブルと比較する。この処理が終了後、ステップＳ１２の処理に進む。
【００６８】
そして、ステップＳ１２において、生活パターン判定部２２Ｄは、今回検出したイベントｉ、前回のイベント（ｉ−１）、及び開始イベントｉｓに該当するイベントがあるか否かを判定する。該当するイベントがない場合、ステップＳ１３の処理に進む。一方、該当するイベントがある場合、ステップＳ１４の処理に進む。
【００６９】
ステップＳ１４において、生活パターン判定部２２Ｄは、ステップＳ１２の処理で該当するとされたイベント数が１つか否かを判定する。該当するイベントが１つである場合、ステップＳ１５の処理に進む。一方、該当するイベントが１つより多い場合、ステップＳ１６の処理に進む。
【００７０】
ステップＳ１６において、生活パターン判定部２２Ｄは、イベントｉ←ｉ−１とする。この処理が終了後、ステップＳ１７の処理に進む。
【００７１】
情報読み込み部２２Ｃは、イベント（ｉ−１）−１すなわち前々回のイベント情報を不揮発性メモリ１６から読み込む。この処理が終了後、ステップＳ１８の処理に進む。
【００７２】
そして、ステップＳ１８において、今回検出したイベントｉ、前回のイベント（ｉ−１）、前々回のイベント（ｉ−２）及び開始イベントｉｓをインデックス（キー）にして、記憶部１５に格納されている生活パターンテーブルと比較する。この処理が終了後、ステップＳ１２の処理に進み同様の処理を繰り返す。
【００７３】
このような判定処理とした場合、使用者の現在の生活パターンを正確に判定することができる。例えば、使用者の行動が図１６に示すイベント履歴であった場合、開始イベントと最新イベントが生活パターンＰＢ１に合致するので、使用者の現在の生活パターンは生活パターンＰＢ１と判定される。
【００７４】
一方で、図２に示したように使用者が自宅を出てＡ駅で電車に乗りＢ駅でバスに乗り換え、停留所Ｘを経由しＣ駅に到着したとする。この場合、仮に開始イベントと最新イベント最新イベントが生活パターンＰＢ１にマッチングしたとしても、生活パターンＰＢ１にはない停留所Ｘというイベントが存在する。したがって、Ｃ駅から退場したというイベントが最新イベントである場合、その前回のイベントすなわち停留所Ｘで寄り道をしたイベントも考慮して生活パターンを判定することにより、変則的な生活パターンＰＸであると判定することができる。このように、開始イベントと最新イベントだけでなく、途中のイベントも生活パターン判定の材料とすることによって、非接触型ＩＣカード機能部１３が取得したイベント履歴から、使用者の現在の正確な生活パターンを判定することができる。
【００７５】
以上説明したように、本発明は、使用者の行動すなわち生活パターンに基づいて、携帯電話端末の制御部１４において適切なアラーム設定を行うことができる。
【００７６】
したがって、使用者が意識することなく当該使用者の日常の行動（履歴）から生活パターンを判定するとともに適切なアラーム設定を実現できる。また、日常の行動（履歴）に基づいてアラーム設定が可能であるため、事前に情報を用意したり用途が限定されたりすることがなく、非常に使い勝手がよい。
【００７７】
なお、上述した実施の形態では、非接触型ＩＣカード機能部１３を携帯電話端末１０に内蔵した例を説明したが、モバイルＰＣ（Personal Computer）、腕時計、卓上型計算機などの携帯可能なデジタル機器に使用することができる。
【００７８】
また、上述した携帯電話端末で行われる一連の処理は、ハードウェアにより実行させることもできるし、ソフトウェアにより実行させることもできる。また、これらの処理を実行する機能はハードウェアとソフトウェアの組み合わせによっても実現できることは言うまでもない。一連の処理をソフトウェアにより実行させる場合には、そのソフトウェアを構成するプログラムが専用のハードウェアに組み込まれているコンピュータ、または、各種のプログラムをインストールすることで各種の機能を実行することが可能な、例えば汎用のコンピュータなどに、プログラム記録媒体（例えば記録媒体２５）からインストールされる。
【００７９】
なお、本明細書において、プログラム記録媒体に格納されるプログラムを記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【００８０】
また、プログラムは、一つのコンピュータにより処理されるものであってもよいし、複数のコンピュータによって分散処理されるものであってもよい。さらに、プログラムは、遠方のコンピュータに転送されて実行されるものであってもよい。
【００８１】
さらに、本発明の実施の形態は、上述した実施の形態に限定されるものではなく、本発明の要旨を逸脱しない範囲において種々の変更が可能である。
【図面の簡単な説明】
【００８２】
【図１】本発明の一実施の形態に係る交通機関とユーザの利用施設の例を示す図である。
【図２】本発明の一実施の形態に係るユーザの生活パターン例を示す図である。
【図３】本発明の一実施の形態に係るＩＣカード機能付き携帯電話端末の内部構成例を示すブロック図である。
【図４】本発明の一実施の形態に係る生活パターン例（仕事）を示す図である。
【図５】本発明の一実施の形態に係る生活パターン例（学校）を示す図である。
【図６】本発明の一実施の形態に係る生活パターンテーブル例を示す図である。
【図７】本発明の一実施の形態に係るアラーム予定表（仕事モード）の例を示す図である。
【図８】本発明の一実施の形態に係るアラーム予定表（在宅モード）の例を示す図である。
【図９】本発明の一実施の形態に係る生活パターンとアラーム予定表との対応テーブルの例（１）を示す図である。
【図１０】本発明の一実施の形態に係る生活パターンとアラーム予定表との対応テーブルの例（２）を示す図である。
【図１１】本発明の一実施の形態に係る生活パターン入力画面例（１）を示す図である。
【図１２】本発明の一実施の形態に係る生活パターン入力画面例（２）を示す図である。
【図１３】本発明の一実施の形態に係るアラーム設定画面例を示す図である。
【図１４】本発明の一実施の形態に係るアラーム予定変更処理を示す図である。
【図１５】本発明の一実施の形態に係る生活パターン判定処理を示すフローチャートである。
【図１６】本発明の一実施の形態に係るイベント履歴の例を示す図である。
【符号の説明】
【００８３】
１…鉄道路線、１０…携帯電話端末、１３…非接触型ＩＣカード機能部、１４…制御部、１５…生活パターン・アラーム予定表記憶部、１６…不揮発メモリ、１７…入力部、１８…表示部、１９…スピーカ、２０…時計部、２１Ａ…生活パターン設定部、２１Ｂ…アラーム設定部２１Ｂ、２１Ｃ…対応設定部、２２Ａ…イベント検知部、２２Ｂ…移動判定部、２２Ｃ…情報読込み部、２２Ｄ…生活パターン判定部、２２Ｅ…アラーム予定変更部
【図１】
2009260501.tif 000003
【図２】
2009260501.tif 000004
【図３】
2009260501.tif 000005
【図４】
2009260501.tif 000006
【図５】
2009260501.tif 000007
【図６】
2009260501.tif 000008
【図７】
2009260501.tif 000009
【図８】
2009260501.tif 000010
【図９】
2009260501.tif 000011
【図１０】
2009260501.tif 000012
【図１１】
2009260501.tif 000013
【図１２】
2009260501.tif 000014
【図１３】
2009260501.tif 000015
【図１４】
2009260501.tif 000016
【図１５】
2009260501.tif 000017
【図１６】
2009260501.tif 000018